(57)【特許請求の範囲】
【請求項１】
炊飯器本体と、前記炊飯器本体の上方に位置する蓋体と、前記蓋体を開閉するための蓋開閉部材を有する圧力式炊飯器であって、
前記炊飯器本体は、内鍋と、前記内鍋を加熱する加熱手段とを有し、
前記蓋体は、圧力調整装置を有し、
前記圧力調整装置は、通気孔を開閉する弁体、プランジャ及び前記プランジャと共の移動又は独自の移動が可能な摺動部を有し、
前記蓋体がロック状態での加圧炊飯時、前記摺動部は、前記プランジャと共に移動し、前記弁体が前記通気孔を閉鎖するようにし、
前記蓋体が半ロック状態での加圧炊飯時、前記プランジャは、前記弁体が前記通気孔を閉鎖する方向に移動し、前記摺動部は、前記蓋開閉部材に当接し、前記弁体が前記通気孔を閉鎖しないようにすることを特徴とする圧力式炊飯器。
【請求項２】
炊飯器本体と、前記炊飯器本体の上方に位置する蓋体と、前記蓋体を開閉するための蓋開閉部材を有する圧力式炊飯器であって、
前記炊飯器本体は、内鍋と、前記内鍋を加熱する加熱手段とを有し、
前記蓋体は、圧力調整装置を有し、
前記圧力調整装置は、通気孔を開閉する弁体及び摺動部を有し、
前記摺動部は、第１摺動部及び第２摺動部を有し、
前記第１摺動部と前記第２摺動部は連動し、
前記蓋体が半ロック状態での加圧炊飯時、前記第２摺動部は前記蓋開閉部材に当接し、前記弁体が前記通気孔を閉鎖しないようにし、
加圧炊飯中に前記蓋体の開動作が行われると、前記蓋開閉部材は、前記第１摺動部を押圧し、前記弁体が前記通気孔を閉鎖しないようにして前記内鍋内の圧力を開放することを特徴とする圧力式炊飯器。
【請求項３】
炊飯器本体と、前記炊飯器本体の上方に位置する蓋体と、前記蓋体を開閉するための蓋開閉部材を有する圧力式炊飯器であって、
前記炊飯器本体は、内鍋と、前記内鍋を加熱する加熱手段とを有し、
前記蓋体は、圧力調整装置を有し、
前記圧力調整装置は、通気孔を開閉する弁体及び摺動部を有し、
前記蓋開閉部材は、突出リブ及び折曲部を有し、
前記摺動部は、係合突起及び傾斜突部を有し、
前記蓋体がロック状態での加圧炊飯時、前記係合突起は前記突出リブに当接することなく移動し、前記弁体が前記通気孔を閉鎖するようにし、
前記蓋体が半ロック状態での加圧炊飯時、前記係合突起は前記突出リブに当接し、前記弁体が前記通気孔を閉鎖しないようにし、
加圧炊飯中に前記蓋体の開動作が行われると、前記折曲部は、前記傾斜突部を押圧し、前記弁体が前記通気孔を閉鎖しないようにして前記内鍋内の圧力を開放することを特徴とする圧力式炊飯器。
【発明の詳細な説明】
【技術分野】
【０００１】
本発明は、特に蓋体に圧力調整装置を有する圧力式炊飯器の安全装置に関するものである。
【背景技術】
【０００２】
一般に炊飯器は、ワークコイル、保温ヒータ及び蓋ヒータ等の複数個の加熱手段を有し、これら加熱手段を駆使して自動的に炊飯及び保温を行いユーザーに最適なご飯等を提供する器具として広く知られている。
【０００３】
ところで、炊飯の各工程時に内鍋内を加圧状態にして炊飯を行うと、米内への熱伝導と吸水速度が早まり、その結果十分な吸水が行われ、炊きムラのないより美味しいご飯を短時間で炊き上げることができるようになる。そのような要望に応える圧力式炊飯器も既に知られている。
【０００４】
圧力式炊飯器の形状は、基本的には通常の炊飯器と同じである。即ち、圧力式炊飯器は、炊飯器本体、及び炊飯器本体の上方開口を開閉する蓋体等からなり、前記炊飯器本体内の内ケースには、調理物を入れて調理する内鍋がセットされ、内ケースの底面及び底面から側面にかけての湾曲部に設けられるワークコイル等の加熱手段により内鍋内の調理物が加熱調理される。そして、蓋体内には、内鍋内の圧力を調圧するための圧力調整装置が設けられ、加圧調理時、圧力調整装置を作動させ内鍋内を加圧状態にして加圧調理が行われることになる。
【０００５】
図９に従来の圧力調整装置の一例を示す。圧力調整装置１は、ソレノイド２、球状弁３、プランジャ４等からなる。ソレノイド２には、突起部６を有するプランジャ４が摺動自在に嵌合されており、ソレノイド２の非作動時には、ばね５により図の右方に付勢されており、作動時にはばね５の力に抗して左方に引き込まれる。
【０００６】
また、蓋体の下部に取り付けられ、内鍋に対向する内蓋７には、内鍋内で発生する蒸気を排出するための通気孔８が設けられ、この通気孔８上には通気孔８を閉鎖する形態で球状弁３が設けられる。
【０００７】
そして、ソレノイド２の非作動時には、プランジャ４は図（Ａ）に示す位置にあり、プランジャ４の突起部６は、球状弁３を右方に押し、通気孔８を開放し、ソレノイド２の作動時には、図（Ｂ）に示すようにプランジャ４は左方に引き込まれ、球状弁３は自重で通気孔８上に移動して通気孔８を閉鎖する。
【０００８】
通気孔８が閉鎖されると、加圧炊飯が行われ、内鍋内の圧力が球状弁３を押し上げることができる値になると、球状弁３は、押し上げられ通気孔８を開いて所定以上の圧力を開放する。この動作を繰り返すことにより内鍋内の圧力を所定値に調圧する。
【０００９】
ところで、圧力式炊飯器を蓋体が半ロック状態で加圧炊飯を行うと、加圧炊飯中に突然蓋体が開いたり、或いは蓋体が開いて蒸気が噴出したりして、近くにいるユーザーに蓋体自体、或いは噴出蒸気が当たる等の危害を加える恐れが生じる。
【００１０】
上記従来のものは、そのような弊害をなくすための手段を講じている。即ち、ユーザーが蓋体が半ロック状態のまま加圧炊飯を選択する（図（Ａ）参照）と、上記したようにソレノイド２が作動してプランジャ４を左動させ、球状弁３を通気孔８上に移動させる（図（Ｂ）参照）。
【００１１】
上記従来のものは、更に、蓋開閉部材であるロックレバー９方向に押圧部１２ａを有する摺動部材１２を前記プランジャ４に取り付けている。そして、ロックレバー９は、図示しないばねにより軸１０を中心に図で反時計方向に付勢されており、その下方には、炊飯器本体側に設けられる係止部１１に係止する係止爪９ａを有し、その上方には、前記押圧部１２ａが当接する突出片９ｂを有している。
【００１２】
そして、図（Ａ）に示すように、蓋体が半ロック状態のまま加圧炊飯を選択すると、摺動部材１２はプランジャ４と共に左動し、その先端の押圧部１２ａが突出片９ｂを反時計方向に押し、図（Ｂ）に示すように、半ロック状態を強制的にロック状態にする（例えば、特許文献１参照）。
【００１３】
このように、上記従来のものは、半ロック状態のままの加圧炊飯を防止するものであり、それなりの効果を奏する。しかしながら、半ロック状態を強制的にロック状態にするには、強力なソレノイドが必要になり、ソレノイドが大型化し、更にはソレノイドの大型化に伴いコストも高騰する。
【００１４】
また、上記従来のもののように半ロック状態をロック状態にする手段を備えていないものでは、上記したように加圧炊飯中に突然蓋体が開き、ユーザーに危害を加える恐れが生じる。
【００１５】
ところで、上記従来のものは、加圧炊飯中に蓋体を開放しようとしても摺動部材１２がロックレバー９近傍に位置しているとともに、プランジャ４と摺動部材１２とは一体であり左方に押圧されているため、蓋体を開放することができない。一般に加圧炊飯中に蓋体を開放し、出来具合を見てみたいとの要望があるが、上記従来のものは、そのような要望に応えることができない。
【００１６】
また、上記従来のもののように半ロック状態をロック状態にする手段を備えていないものでは加圧炊飯中に蓋体を開放すると、内鍋内の蒸気がロックレバー側に噴出し、やはりユーザーに火傷等の危害を加える恐れが生じる。
【先行技術文献】
【特許文献】
【００１７】
【特許文献１】特開２００６−３２５８４３号公報
【発明の概要】
【発明が解決しようとする課題】
【００１８】
本発明の目的は、蓋体の半ロック状態のまま加圧炊飯を選択したとしても加圧炊飯が行われないようにし、また／及び加圧炊飯中に蓋体を開放しても蒸気が噴出しないようにしてなる安全性をより高めた加圧式炊飯器を提供することである。
【課題を解決するための手段】
【００１９】
前記目的を達成するため、本発明は以下の構成を採用する。
【００２０】
請求項１に係る発明では、炊飯器本体と、前記炊飯器本体の上方に位置する蓋体と、前記蓋体を開閉するための蓋開閉部材を有する圧力式炊飯器であって、前記炊飯器本体は、内鍋と、前記内鍋を加熱する加熱手段とを有し、前記蓋体は、圧力調整装置を有し、前記圧力調整装置は、通気孔を開閉する弁体、プランジャ及び前記プランジャと共の移動又は独自の移動が可能な摺動部を有し、前記蓋体がロック状態での加圧炊飯時、前記摺動部は、前記プランジャと共に移動し、前記弁体が前記通気孔を閉鎖するようにし、前記蓋体が半ロック状態での加圧炊飯時、前記プランジャは、前記弁体が前記通気孔を閉鎖する方向に移動し、前記摺動部は、前記蓋開閉部材に当接し、前記弁体が前記通気孔を閉鎖しないようにする構成。
【００２１】
請求項２に係る発明では、炊飯器本体と、前記炊飯器本体の上方に位置する蓋体と、前記蓋体を開閉するための蓋開閉部材を有する圧力式炊飯器であって、前記炊飯器本体は、内鍋と、前記内鍋を加熱する加熱手段とを有し、前記蓋体は、圧力調整装置を有し、前記圧力調整装置は、通気孔を開閉する弁体及び摺動部を有し、前記摺動部は、第１摺動部及び第２摺動部を有し、前記第１摺動部と前記第２摺動部は連動し、前記蓋体が半ロック状態での加圧炊飯時、前記第２摺動部は前記蓋開閉部材に当接し、前記弁体が前記通気孔を閉鎖しないようにし、加圧炊飯中に前記蓋体の開動作が行われると、前記蓋開閉部材は、前記第１摺動部を押圧し、前記弁体が前記通気孔を閉鎖しないようにして前記内鍋内の圧力を開放する構成。
【００２２】
請求項３に係る発明では、炊飯器本体と、前記炊飯器本体の上方に位置する蓋体と、前記蓋体を開閉するための蓋開閉部材を有する圧力式炊飯器であって、前記炊飯器本体は、内鍋と、前記内鍋を加熱する加熱手段とを有し、前記蓋体は、圧力調整装置を有し、前記圧力調整装置は、通気孔を開閉する弁体及び摺動部を有し、前記蓋開閉部材は、突出リブ及び折曲部を有し、前記摺動部は、係合突起及び傾斜突部を有し、前記蓋体がロック状態での加圧炊飯時、前記係合突起は前記突出リブに当接することなく移動し、前記弁体が前記通気孔を閉鎖するようにし、前記蓋体が半ロック状態での加圧炊飯時、前記係合突起は前記突出リブに当接し、前記弁体が前記通気孔を閉鎖しないようにし、加圧炊飯中に前記蓋体の開動作が行われると、前記折曲部は、前記傾斜突部を押圧し、前記弁体が前記通気孔を閉鎖しないようにして前記内鍋内の圧力を開放する構成。  
【発明の効果】
【００２３】
請求項１に係る発明は、蓋体の半ロック状態で加圧炊飯を行おうとすると、圧力調整装置の摺動部の一部が蓋開閉部材に当接して弁体が通気孔を閉鎖しないようにすることにより、蓋体の半ロック状態での加圧炊飯中に蓋体が突然開いて近くにいるユーザーに危害を加える恐れをなくすことができる。
なお、「半ロック」は、ロックレバー５０の係止部５２ａの先端が係止片２６ａに僅かに掛かっている状態である。
【００２４】
請求項２、３に係る発明では、加圧炊飯中に蓋体が開放されると、蓋開閉部材は摺動部を押圧して弁体が通気孔を閉鎖しないようにするため、ユーザーは安心して加圧炊飯中に蓋体を開放することができる。その結果、圧力式炊飯器の安全性及び信頼性をより高めることができる。
【図面の簡単な説明】
【００２５】
【図１】圧力式炊飯器の蓋上部材を取り外した状態の全体断面図（図２のＡ−Ａ線断面図）
【図２】蓋上部材を取り外した状態の蓋体を斜め上方から見た斜視図
【図３】圧力調整装置を含む各部品の分解斜視図
【図４】蓋下部材がない状態の圧力調整装置を含む各部品の組立斜視図
【図５】加圧炊飯を行っていない全ロック状態時の蓋開閉部材と第２摺動部材と弁体との位置関係を示す断面図（Ａ）及び平面図（Ｂ）
【図６】加圧炊飯中の全ロック状態時の蓋開閉部材と第２摺動部材と弁体との位置関係を示す断面図（Ａ）及び平面図（Ｂ）
【図７】加圧炊飯中の半ロック状態時の蓋開閉部材と第２摺動部材と弁体との位置関係を示す断面図（Ａ）及び平面図（Ｂ）
【図８】加圧炊飯中に蓋体を開放する状態等の蓋開閉部材と第１摺動部材と弁体との位置関係を示す断面図
【図９】従来の半ロック状態時の蓋開閉部材と摺動部材と弁体との位置関係を示す断面図
【実施例】
【００２６】
図１は蓋上部材を取り外した状態の図２のＡ−Ａ線縦断面図を示し、図２は蓋上部材を取り外した状態の蓋体を斜め上方から見た斜視図を示し、図３は圧力調整装置を含む各部品の分解斜視図を示し、図４は蓋下部材を取り外した状態の圧力調整装置を含む各部品の組立斜視図を示す。なお、圧力式炊飯器２０のヒンジ軸５８側を後方側とし、ヒンジ軸５８の反対側のロックレバー５０側を前方側とし、前後方向に直交する側を左右方向側とする。
【００２７】
圧力式炊飯器２０の略全体を図１に示す。圧力式炊飯器２０は、炊飯器本体２１及び蓋体４０からなる。炊飯器本体２１は、鋼板ケースまたは合成樹脂製の外ケース２２を有し、この外ケース２２の内部には、金属鍋或いは土鍋等の内鍋２３が着脱自在にセットされ、この内鍋２３の外側には内鍋２３の形状に沿った保護枠である内ケース２４が設けられる。この内ケース２４は、例えばポリエチレンテレフタレート等の耐熱性の合成樹脂製のもので、その底部中央にはサーミスタからなる温度センサ２５を臨ませるためのセンサ挿入孔が設けられる。
【００２８】
内ケース２４の上端は、外ケース２２の上端と肩部材２６を介して一体に結合される。内ケース２４の底部外面及び底部から側部にかけての湾曲部外面には、内鍋２３を誘導加熱する加熱手段である底部ワークコイル２７及び側部ワークコイル２８が設けられる。これら底部ワークコイル２７及び側部ワークコイル２８は、内ケース２４の底部及び湾曲部の各位置に、内ケース２４の底部中央を中心として同心円状に設けられる。
【００２９】
これら底部ワークコイル２７及び側部ワークコイル２８の外側には合成樹脂製のコイル支持台２９が設けられており、このコイル支持台２９をネジ等で内ケース２４に取り付けることにより、底部ワークコイル２７及び側部ワークコイル２８は図示する所定位置に位置決め固定される。
【００３０】
前記外ケース２２の下端部には、底部材３１がビス等で取り付けられ、外ケース２２と底部材３１とで上方に開口を有する容器を形成する。外ケース２２の後方の内部には、肩部材２６から垂下する形態で、制御基板３２が設けられる。
【００３１】
この制御基板３２には、底部ワークコイル２７、側部ワークコイル２８等の加熱手段を制御するためのマイコン及び電源回路等の電気部品が搭載される。それら電気部品のなかには発熱するものがあるため、制御基板３２の近傍には発熱素子等を冷却するための冷却フィン３３と、冷却フィン３３の熱を放熱するための冷却ファン３４が設けられる。なお、制御基板３２の後方側にはコード巻取器３５が設けられる。
【００３２】
蓋体４０は、図示しない外周面を形成する樹脂製の蓋上部材と、蓋下部材４２を有する。蓋下部材４２は、蓋上部材と同様に樹脂製の部材であり、その後方部には、ヒンジ軸５８及びヒンジばね５９が配置される平面視コ字状の切欠４３が設けられる。
【００３３】
また、蓋下部材４２の中央且つ後方よりには円形の蒸気排出筒４４が設けられており、内鍋２３内の蒸気は、この蒸気排出筒４４より蓋上部材に設けられる蒸気通路を経て蓋上部材の上面に設けられる蒸気口より外部に放出される。
【００３４】
蓋下部材４２上には、図２に示すように蓋体４０の強度を高めるための金属製の補強部材４６が設けられる。この補強部材４６は、前方側に位置する第１補強部材４６ａと、後方側に位置する第２補強部材４６ｂからなり、前後方向に延伸する形態で蓋下部材４２にビス止めされる。なお、第１補強部材４６ａと第２補強部材４６ｂとの分割位置は後方側であり、補強部材４６が一体のものに比べて全体の耐久性を下げてあり、圧力調整装置及び安全弁が故障する等の異常時に分割位置近傍での変形を容易にし、異常時に変形箇所から蒸気を逃がすことにより蓋体４０が急激に開放したり、或いは蒸気が前方側から急激に噴出する等の弊害を防止している。
【００３５】
第１補強部材４６ａの前方端には、ロックレバー５０のレバー軸５７を軸支するための軸受孔４７が設けられ、第２補強部材４６ｂの後方端には、ヒンジ軸５８を軸支するための軸受孔４８が設けられる。
【００３６】
蓋下部材４２の前方側には、蓋開閉部材である金属製のロックレバー５０が設けられる。図３及び図４に示すようにロックレバー５０は、水平部５１及び垂直部５２からなる断面Ｌ字状の金属製の部材である。
【００３７】
水平部５１は、第１水平部５１ａ、第２水平部５１ｂ及び第３水平部５１ｃを有し、第１水平部５１ａには、後記第１摺動部材７０が当接する上方に略直角に折れ曲がった折曲部５３が形成され、第２水平部５１ｂには、後記第２摺動部材７５が当接する第１水平部５１ａ方向に水平に突き出る突出リブ５４及び後記押圧部材５５（図１、２参照）を挿入する円形の挿通口５５ａが形成され、第３水平部５１ｃには、ロックレバー５０を回動するためのレバーばね５７ａ（図５参照）の一端を係止する円形の係止口５６が形成されている。
【００３８】
押圧部材５５は、水平円板及び棒状部からなる断面Ｔ字状の部材であり、コイルばね５５ｂ（図１参照）を棒状部に挿入した状態で第２水平部５１ｂの円形の挿通口５５ａに挿入し、その下端部にナットを螺合して固定しており、斜め上方から力が加わったとしてもロックレバー５０を適正に回動する。
【００３９】
前記垂直部５２は、中央が下方から略トンネル状に切り掛かれており、残りの左右の垂直部分の下端には、後方側に直角に折り曲げられた平面視略矩形状の係止部５２ａが形成される。この係止部５２ａは肩部材２６に形成される係止片２６ａ（図５参照）に係止されることにより、蓋体４０を閉蓋する。
【００４０】
ロックレバー５０には、コイル状のレバーばね５７ａ（図５参照）が挿着される１本で棒状のレバー軸５７が嵌合されており、そのレバー軸５７の両端は、第１補強部材４６ａの左右の軸受孔４７、４７に挿入され軸支される。レバー軸５７を軸受孔４７、４７に挿入後、レバーばね５７ａの一端を第３水平部５１ｃの係止口５６に係止し、他端を蓋下部材４２側に係止する。その結果、ロックレバー５０は反時計方向のばね力を付与された状態で図２、図４の状態で取付けられる。
【００４１】
そして、蓋上部材の上面に設けられる図示しない押圧ボタンを上方から押したり、或いはスライドレバー等によって押されるとその力は押圧部材５５に伝わり、押圧部材５５が下動されるとロックレバー５０は時計方向に回動され、その結果蓋体４０はヒンジばね５９のばね力により開蓋する。
【００４２】
蓋下部材４２の後方側の切欠４３には、ヒンジ部であるヒンジ軸５８及びヒンジばね５９が設けられる。このヒンジ軸５８の両端は、第２補強部材４６ｂの後方端の軸受孔４８、４８に挿入され軸支される。また、ヒンジ軸５８にはコイル状のヒンジばね５９が挿着されるとともに、ヒンジばね５９の一端部５９ａは第１補強部材４６ａに係止され（図２参照）、他端部５９ｂは肩部材２６に係止されており、蓋体４０に常時開方向のばね力を付与している。
【００４３】
蓋下部材４２の中央部には、下方が開口し、上方に突き出た平面視矩形状の弁カバー６０が設けられるとともに、この弁カバー６０の前方側には圧力調整装置の一部品である後記ソレノイド６８が水平且つ前後方向に配置される。
【００４４】
図２〜図４で示すように蓋下部材４２の弁カバー６０より前方側の上面には、平面視略矩形状で樹脂製の支持部材６３が配設される。この支持部材６３は、その上面に圧力調整装置等を載置する底浅の皿状の部材で、その側壁上端には、左右方向に張り出し、それぞれ１個のビス穴６３ａ１を有するフランジ６３ａが設けられるとともに、その前方端には、ロックレバー５０のレバー軸５７が挿通される軸貫通口６３ｂが設けられる。そして、支持部材６３は、その軸貫通口６３ｂにレバー軸５７を挿通し、ビスをビス穴６３ａ１から蓋下部材４２に螺合することにより第１補強部材４６ａの上面に取付けられる。
【００４５】
支持部材６３の上面には、後記ソレノイド６８を収納するための平面視矩形状のソレノイド収納室６４、後記第１摺動部材７０の一部を収納するための平面視細長矩形状の摺動部材収納室６５及び後記第２摺動部材７５を軸支するための円柱状の円柱軸受６６が設けられる。
【００４６】
前記支持部材６３上のソレノイド収納室６４には、ソレノイド６８が水平且つ前後方向に収納される。ソレノイド６８の側壁面の上端及び下端には、それぞれ左右方向に張り出した平面視矩形状で、その中央部にビス穴６８ｂを有する取付フランジ６８ａが設けられており、このビス穴６８ｂからビスを螺合することによりソレノイド６８を蓋下部材４２に固定する。
【００４７】
また、ソレノイド６８には、ソレノイド６８のオン、オフにより進退するプランジャ６９が設けられる。
【００４８】
このプランジャ６９の先端は、弁カバー６０に対向するような形態で前後方向に設けられるとともに、その先端には、正面視Ｃ字状のばね支持具６９ａが取り付けられ、更にプランジャ６９の外周に挿入される形態でソレノイド６８とばね支持具６９ａとの間にコイルばね６９ｂが挿設されており、プランジャ６９は、ソレノイド６８のオフ時にはソレノイド６８から後方側に引き出されている。
【００４９】
図３に示すように摺動部である第１摺動部材７０は、前後方向長伸部７１、左右方向短伸部７３及び前後方向短伸部７２を有する平面視略釣り針状で一体形成される樹脂製部材であり、前後方向に移動可能に配設される。
【００５０】
前後方向長伸部７１は、前後方向に長く延伸する平面視細長矩形状の部分で、その前方端の上面には、上方に突き出るとともに、前方から後方に向かって上方に傾斜する正面視矩形状の傾斜突部７１ａが一体に設けられるとともに、その下面には、前方側垂下部７１ｂ及び後方側垂下部７１ｃが間を空けて平行に設けられている。
【００５１】
前後方向長伸部７１の前方側垂下部７１ｂより後方側は、支持部材６３上の摺動部材収納室６５に収納されるとともに、後方側垂下部７１ｃの後方壁面と、摺動部材収納室６５の内端壁面６５ａ（図３、５参照）との間には、コイルばね７４が介在され、第１摺動部材７０を常時前方側に付勢する。
【００５２】
前後方向短伸部７２は、前後方向に短く延伸する平面視矩形状の部分で、ソレノイド収納室６４の外壁部に沿う形態で前後方向に移動する。
【００５３】
左右方向短伸部７３は、前後方向長伸部７１と前後方向短伸部７２を連結する部分で、その略中央部には、前方と上方が開口した半円弧状の半円弧空間７３ａ（図３参照）が一体に形成され、その後方側の側壁面には、後方側に突き出た棒状の弁押圧突起７３ｂが一体に形成される。
【００５４】
そして、半円弧空間７３ａには、プランジャ６９のばね支持具６９ａが収納配置され、ソレノイド６８のオフ時には、ばね支持具６９ａはコイルばね６９ｂのばね力により第１摺動部材７０全体を後方側に押している。
【００５５】
なお、ソレノイド６８のオン時には、プランジャ６９は、ばね支持具６９ａとともに前方側に引き込まれるが、ばね支持具６９ａと半円弧空間７３ａとは連結されていないため、第１摺動部材７０は前方側に移動しない。しかしこの場合、第１摺動部材７０と支持部材６３との間には前記コイルばね７４が介在しているため、第１摺動部材７０は、コイルばね７４のばね力によりプランジャ６９の前方側への移動と同時に前方側に移動される。なお、コイルばね７４のばね力は、コイルばね６９ｂのばね力より弱く設定されている。
【００５６】
前記弁押圧突起７３ｂは、後記の球状弁９０に対向するように配置されており、ソレノイド６８のオフ時にはその球状弁９０を押して、後記通気孔８６を開放し、ソレノイド６８のオン時にはその球状弁９０から離れる。その結果、球状弁９０は自重で通気孔８６の真上に移動して、その通気孔８６を閉鎖する。
【００５７】
前記第１摺動部材７０の前方側には、摺動部の一部である第２摺動部材７５が配設される。第２摺動部材７５は、間に折曲部７５ａを有する平面視く字状で一体の樹脂製の部材であり、その根本には中空軸７５ｂを有し、その先端には上方に立設する棒状の係合突起７５ｃを有する。
【００５８】
そして、中空軸７５ｂは、前記支持部材６３上の円柱軸受６６に回動自在に嵌合され、取付時には、第１摺動部材７０と略直交する形態で支持部材６３上に載置される。第２摺動部材７５の取り付け後では、折曲部７５ａの後方側の面に第１摺動部材７０の前方側垂下部７１ｂの前方側の面が当接される。
【００５９】
また、前記支持部材６３上の円柱軸受６６には、円形に巻かれたばね７６（図３参照）が嵌入され、その一端部は第２摺動部材７５に当接され、その他端部は支持部材６３に当接されており、第２摺動部材７５を中空軸７５ｂを中心にして時計方向に回動するように付勢している。その結果、第２摺動部材７５の折曲部７５ａの後方側側面は、第１摺動部材７０の前方側垂下部７１ｂの前方側の面に当接される。なお、ばね７６のばね力は、コイルばね７４のばね力より弱く設定されている。
【００６０】
第２摺動部材７５の折曲部７５ａは、第２摺動部材７５の中間より根本の中空軸７５ｂ側寄りに設けられており、このような形態にすることにより、折曲部７５ａが第１摺動部材７０の前方側垂下部７１ｂで前方側に押されると、先端部の係合突起７５ｃは折曲部７５ａより早く円弧上を前方側へ移動することができるようになる。その結果、蓋体４０の半ロック時に係合突起７５ｃは、ロックレバー５０の突出リブ５４に当接可能になる。
【００６１】
蓋下部材４２の中央部に設けられる弁カバー６０の前方側には円形の図示しない開口が設けられるとともに、その開口には、周囲に嵌合溝を有し、その内部に円形状のシール膜を有する全体として円形状のパッキン７７（図３参照）が嵌合されており、弁カバー６０の内外をシールしている。このパッキン７７の円形状のシール膜の中心には、第１摺動部材７０の弁押圧突起７３ｂが嵌合しており、この円形状のシール膜は弁押圧突起７３ｂとともに前後方向に移動可能にされている。
【００６２】
前記蓋体４０の下方には、内鍋２３に対向して内蓋８０が着脱自在に取付けられる。そして、この内蓋８０の上面には、弁ユニット８１が前記弁カバー６０の下方に位置する形態で取付けられる。そして、内蓋８０を蓋下部材４２の下面に取り付けると、弁ユニット８１の上面と弁カバー６０の下面との間に蒸気室８７（図１参照）が形成される。
【００６３】
弁ユニット８１には、弁収納室８３及び安全弁８４が設けられる。弁収納室８３は、前後方向に開口を有する断面逆Ｕ字状の部分で、その内部には、中央に通気孔８６を有するすり鉢状の弁載置部８５（図３参照）が設けられるとともに、その上方には弁体である球状弁９０が配設される。
【００６４】
前記通気孔８６は、内鍋２３内に連通しており、球状弁９０が通気孔８６を開放すると内鍋２３内の蒸気は、蒸気室８７に流入し、その後、蒸気排出筒４４及び蓋上部材に設けられる蒸気通路を経て蓋上部材の上面に設けられる蒸気口より外部に放出される。
【００６５】
そして、内蓋８０が蓋下部材４２の下面に挿着されると、弁収納室８３は蓋下部材４２の下面から上方に突き出す形態で形成される弁カバー６０内に進入するとともに、球状弁９０は弁押圧突起７３ｂに対向して位置する。
【００６６】
圧力調整装置は、前記ソレノイド６８、プランジャ６９及び球状弁９０を有し、加圧炊飯が選択されないソレノイド６８の非作動（オフ）時には、プランジャ６９は外方に押し出され、球状弁９０を押して通気孔８６を開放する。
【００６７】
そして、加圧炊飯が選択されるソレノイド６８の作動（オン）時には、プランジャ６９は引き込まれ、弁押圧突起７３ｂは球状弁９０から離れるため、球状弁９０は自重で通気孔８６の直上に移動して通気孔８６を閉鎖する。その結果、球状弁９０の自重に相当する圧力での炊飯が行われ、内鍋２３内がそれ以上の圧力になると余分な蒸気は球状弁９０を押し上げて通気孔８６より排出される。
【００６８】
前記安全弁８４は球状弁９０の開放圧より高い圧力で開放するようにされるもので、球状弁９０が開かない等の異常時に開放される。
【００６９】
蓋体４０の前方側には、図示しない液晶パネル及び各種スイッチボタンが設けられており、通常炊飯を選択すると、ソレノイド６８がオフ（通気孔８６が開）での炊飯が行われ、加圧炊飯を選択すると、ソレノイド６８がオン（通気孔８６が閉）での炊飯が行われる。その炊飯は、底部ワークコイル２７及び側部ワークコイル２８により誘起される渦電流に起因したジュール熱により内鍋２３が加熱されて行われる。
【００７０】
蓋体４０の半ロック時に加圧炊飯が行われない仕組みについて図５〜図７で説明する。なお、各図とも（Ａ）は概略側面図で、（Ｂ）は概略平面図であり、図５（Ａ）に第１水平部５１ａ及びその先端の折曲部５３を破線で便宜的に示し、レバー軸５７の回りに挿設されるレバーばね５７ａを示す。
【００７１】
図５に加圧炊飯を行っていない蓋体４０がロック状態時のロックレバー５０と第１摺動部材７０及び第２摺動部材７５との関係を示す。図に示すように、ロックレバー５０はロック状態位置にある。なお、第２摺動部材７５は、図（Ｂ）で矢印で示す時計方向に付勢されている。
【００７２】
また、第１摺動部材７０及び第２摺動部材７５は、ソレノイド６８がオフでプランジャ６９が後方側に押し出されているため、後方側に位置する。その結果、第１摺動部材７０の弁押圧突起７３ｂが球状弁９０を押して通気孔８６を開放する。
【００７３】
図６に加圧炊飯中で蓋体４０がロック状態時のロックレバー５０と第１摺動部材７０及び第２摺動部材７５との関係を示す。図に示すように、ロックレバー５０はロック状態位置にある。
【００７４】
また、第１摺動部材７０及び第２摺動部材７５は、ソレノイド６８がオンでプランジャ６９が前方側に引き込まれているため、前方側に位置する。すると、第１摺動部材７０は、図（Ａ）、（Ｂ）で矢印で示すように前方側に移動し、その結果、第２摺動部材７５は図（Ｂ）で矢印で示すように反時計方向に回動される。
【００７５】
そして、その先端の係合突起７５ｃは、ロックレバー５０の突出リブ５４に向かって移動するが、ロックレバー５０はロック状態時の位置にあり、図（Ａ）で示すように突出リブ５４は、係合突起７５ｃより上方位置になり、係合突起７５ｃは、突出リブ５４の下方を経て前方側に至る。そのため、第１摺動部材７０は、コイルばね７４のばね力により前方側に押され、第１摺動部材７０の弁押圧突起７３ｂが球状弁９０から離れ、通気孔８６は球状弁９０により閉鎖される。
【００７６】
図７に蓋体４０が半ロック状態での加圧炊飯時のロックレバー５０と第１摺動部材７０及び第２摺動部材７５との関係を示す。図に示すように、ロックレバー５０は半ロック状態位置にある。なお、ロックレバー５０が半ロック状態位置にあると、ロックレバー５０の突出リブ５４は、下方位置になり、第２摺動部材７５の係合突起７５ｃと同じ位置になる。
【００７７】
また、例え蓋体４０が半ロック状態にあっても加圧炊飯を選択することができるため、半ロック状態で加圧炊飯が選択されると、ソレノイド６８がオンになりプランジャ６９が前方側に引き込まれる。すると、第１摺動部材７０及び第２摺動部材７５は、コイルばね７４のばね力により前方側に押されるが、第２摺動部材７５の先端の係合突起７５ｃは、ロックレバー５０の突出リブ５４に当接し、それ以上の前方側への移動が阻止される。
【００７８】
その結果、第１摺動部材７０は若干前方側へ移動するが、その弁押圧突起７３ｂは球状弁９０を押した状態を維持し、通気孔８６は開放状態が維持される。このように、蓋体４０の半ロック状態で加圧炊飯を行おうとしても、通気孔８６が閉鎖されないため加圧炊飯を行うことができない。
【００７９】
次いで、加圧炊飯中に蓋体４０を開放すると蓋体４０の開蓋前に蒸気が排出される仕組みについて図８で説明する。なお、各図とも概略側面図であり、図８（Ａ）に第２水平部５１ｂの突出リブ５４、並びに第２摺動部材７５を破線で便宜的に示す。
【００８０】
図（Ａ）の加圧炊飯を行っていないロック状態時は、図５（Ａ）と同じで、図（Ｂ）の加圧炊飯中のロック状態時は、図６（Ａ）と同じであるため説明は省略する。
【００８１】
図（Ｂ）の加圧炊飯中のロック状態時に蓋体４０を開蓋する状態を図（Ｃ）乃至図（Ｅ）に示す。図（Ｃ）は、開放途中の折曲部５３が傾斜突部７１ａに当接した状態図で、図（Ｄ）は、ロック解除直前で、蒸気が排出される状態図で、図（Ｅ）は、ロック解除後の状態図である。
【００８２】
図（Ｃ）に示すように、ロックレバー５０が開放方向である時計方向に回動されていくと、ロックレバー５０の折曲部５３が傾斜突部７１ａに当接する。更にロックレバー５０が開放方向に回動されるとロックレバー５０の折曲部５３が傾斜突部７１ａを後方側に押圧する。すると、第１摺動部材７０はコイルばね７４に抗して後方側に押され、第１摺動部材７０の弁押圧突起７３ｂは球状弁９０を押して図（Ｄ）の状態になる。この場合、ソレノイド６８はオン状態であるためプランジャ６９は前方側に引き込まれたままである。
【００８３】
図（Ｄ）の状態になると、内鍋２３の蒸気は排出されることになる。そのため、図（Ｅ）の状態になり、蓋体４０が開放されたとしても、内部の高圧の蒸気が噴き出すことがなくなる。
【００８４】
このように、摺動部材をプランジャ６９より独立して移動可能にし、また、摺動部材を第１摺動部材７０及び第２摺動部材７５の連動する２つから構成し、一方の摺動部材で半ロック状態による蒸気噴出等の弊害を防止し、他方の摺動部材で加圧炊飯中の開蓋による蒸気噴出等の弊害を防止することにより、各作用をより確実に行うことができるとともに、全体の構造を簡単にすることができる、また、蓋開放検知センサ等を設ける必要がないためそれだけ生産コストを低減できる。
【００８５】
本発明は、前記実施例の構成に限定されるものではなく、発明の要旨を逸脱しない範囲において適宜設計変更可能であり、例えば、加熱手段はヒータでもよく、内鍋も金属製等、どのような材質のものでもよい。
【００８６】
また、ソレノイド６８は、作動初期時には連続的に電流を流して引き込み動作をさせるとともに、その後はパルス電流を流して引き込み状態を維持するように制御してもよい。更には、上記ではプランジャ６９と摺動部材を別々のものとして説明したが、一体のものでもよい。その場合、摺動部材が後方側に押されるとプランジャ６９も後方側に引き出されるようにソレノイド６８の吸引力を弱める必要がある。
【符号の説明】
【００８７】
２０…圧力式炊飯器                ２１…炊飯器本体
２２…外ケース                    ２３…内鍋
２４…内ケース                    ２５…温度センサ
２６…肩部材                      ２６ａ…係止片
２７…底部ワークコイル            ２８…側部ワークコイル
２９…コイル支持台                ３１…底部材
３２…制御基板                    ３３…冷却フィン
３４…冷却ファン                  ３５…コード巻取器
４０…蓋体                        ４２…蓋下部材
４３…切欠                        ４４…蒸気排出筒
４６…補強部材                    ４６ａ…第１補強部材
４６ｂ…第２補強部材              ４７，４８…軸受孔
５０…ロックレバー                ５１…水平部
５１ａ…第１水平部                ５１ｂ…第２水平部
５１ｃ…第３水平部                ５２…垂直部
５２ａ…係止部                    ５３…折曲部
５４…突出リブ                    ５５…押圧部材
５５ａ…挿通口                    ５５ｂ…コイルばね
５６…係止口                      ５７…レバー軸
５７ａ…レバーばね                ５８…ヒンジ軸
５９…ヒンジばね                  ５９ａ…一端部
５９ｂ…他端部                    ６０…弁カバー
６３…支持部材                    ６３ａ…フランジ
６３ｂ…軸貫通口                  ６４…ソレノイド収納室
６５…摺動部材収納室              ６５ａ…内端壁面
６６…円柱軸受                    ６８…ソレノイド
６８ａ…取付フランジ              ６９…プランジャ
６９ａ…ばね支持具                ６９ｂ…コイルばね
７０…第１摺動部材                ７１…前後方向長伸部
７１ａ…傾斜突部                  ７１ｂ…前方側垂下部
７１ｃ…後方側垂下部              ７２…前後方向短伸部
７３…左右方向短伸部              ７３ａ…半円弧空間
７３ｂ…弁押圧突起                ７４…コイルばね
７５…第２摺動部材                ７５ａ…折曲部
７５ｂ…中空軸                    ７５ｃ…係合突起
７６…ばね                        ７７…パッキン
８０…内蓋                        ８１…弁ユニット
８３…弁収納室                    ８４…安全弁
８５…弁載置部                    ８６…通気孔
８７…蒸気室                      ９０…球状弁
【図１】
0005809451.tif 000002
【図２】
0005809451.tif 000003
【図３】
0005809451.tif 000004
【図４】
0005809451.tif 000005
【図５】
0005809451.tif 000006
【図６】
0005809451.tif 000007
【図７】
0005809451.tif 000008
【図８】
0005809451.tif 000009
【図９】
0005809451.tif 000010